(57)【要約】【課題】小型化しながらも内部の電子部品同士の電気ノイズによる影響が防がれる配線器具を提供する。【解決手段】  電子モジュール１とハウジングとを備えた配線器具１００であって、電子モジュール１は、第１の回路基板１１と、一対の電源端子１２と、スイッチ手段１３と、を備え、スイッチ手段１３は、制御部１３１と、複数のピンと、から構成され、且つ、複数のピンにおけるメインピンが一対の電源端子１２の間に配置され、ハウジングは、ボディ３とカバー４とを備え、ボディ３は、第１の回路基板１１を支持している支持部３２と、それぞれ一対の電源端子１２とメインピンとの間に介在して一対の電源端子１２とメインピンとの間の絶縁シールドとなるように配置された２つの絶縁壁３３２ｂを有する間隔壁部３３と、を有する。【選択図】図３
2020136270.tif 000002
【特許請求の範囲】
【請求項１】
電子モジュールとハウジングとを備えていて切換えスイッチに適用される配線器具であって、
前記電子モジュールは、第１の回路基板と、一対の電源端子と、スイッチ手段と、を備えており、
前記第１の回路基板は、互いに反対する両面である第１の面及び第２の面を有し、
前記一対の電源端子は、外部電源の導線と接続するよう、互いに間隔をあけて前記第１の面に設けられており、
前記スイッチ手段は、前記第２の面に設けられていると共に、切換えスイッチに対する操作を受け付ける制御部と、それぞれに前記第２の面から前記第１の回路基板を貫通して先端が前記第１の面から突出していると共に、前記第１の回路基板と電気的に接続されている複数のピンとを有し、前記複数のピンは、前記一対の電源端子の間に配置されているメインピンを含み、
前記ハウジングは、前記電子モジュールを収容していると共に、開口を有するボディと、前記ボディの開口を覆っているカバーと、を備えており、
前記ボディは、前記第１の回路基板の前記第１の面に当接して当該第１の回路基板を支持している支持部と、前記一対の電源端子と前記メインピンとの間に介在して前記一対の電源端子と前記メインピンとの間の絶縁シールドとなるように配置されている２つの絶縁壁を有する間隔壁部と、を有し、
前記カバーは、外観面と、前記外観面に開けられていて前記制御部を前記ハウジングから露出させる開口部と、を有している、
ことを特徴とする配線器具。
【請求項２】
前記電子モジュールは、前記第１の面に前記第１の回路基板と略直交するように配置されている第２の回路基板を更に備えており、
前記ボディの内部は、前記間隔壁部によって、前記一対の電源端子を収容している第１の収容空間と、前記第２の回路基板を収容している第２の収容空間とに仕切られている、
ことを特徴とする請求項１に記載の配線器具。
【請求項３】
前記間隔壁部は、前記第１の回路基板と略直交するように配置されており、且つ、前記第１の収容空間と前記第２の収容空間とを仕切る主壁と、前記主壁から前記第１の収容空間へ突出して前記一対の電源端子の間に介在しているリブと、を有しており、
前記２つの絶縁壁は、前記リブの一部である、
ことを特徴とする請求項２に記載の配線器具。
【請求項４】
前記リブは、前記第１の回路基板と略直交する方向に沿って棒状に延伸しており、且つ、基体と、前記２つの絶縁壁と、から構成されており、
前記２つの絶縁壁は、互いに間隔をあけて前記基体の両側から前記第１の回路基板に向かって延伸していると共に、それぞれの一端が前記主壁と連接している、
ことを特徴とする請求項３に記載の配線器具。
【請求項５】
前記主壁は、前記２つの絶縁壁の間に、前記第２の収容空間と連通している切り込みが形成されている、
ことを特徴とする請求項４に記載の配線器具。
【請求項６】
前記リブは、前記基体から前記第１の回路基板に向かって延伸していると共に、前記２つの絶縁壁の他端同士を連結している強化壁を更に含む、
ことを特徴とする請求項５に記載の配線器具。
【請求項７】
前記メインピンは絶縁樹脂により取り囲まれており、
また、前記基体及び前記２つの絶縁壁は、共に前記メインピン及び前記絶縁樹脂を収容する空間を画成している、
ことを特徴とする請求項４に記載の配線器具。
【請求項８】
前記第２の回路基板は、前記主壁と平行且つ隣接するように配置されている、
ことを特徴とする請求項３に記載の配線器具。
【請求項９】
前記ボディは、前記第２の回路基板を位置決めするよう、それぞれに前記間隔壁部の前記主壁と隣接していて前記第２の収容空間と連通していると共に、前記第２の回路基板の側縁と係合している一対の位置決め溝が凹設されている、
ことを特徴とする請求項８に記載の配線器具。
【請求項１０】
前記開口部は、中心が前記外観面の中心位置と一致するように形成されており、
また、前記制御部は、前記外観面の中心位置にあるように前記開口部から露出している、
ことを特徴とする請求項１に記載の配線器具。
【発明の詳細な説明】
【技術分野】
【０００１】
本発明は、配線器具に関し、具体的には、切換えスイッチに適用される配線器具に関する。
【背景技術】
【０００２】
ロータリスイッチは、例えば、照明器具においては、照明器具のオン／オフや光強度を操作するものとして、或いは、ステレオ装置においては、ステレオ装置のオン／オフや音量を操作するためのものとして利用される。
【０００３】
一般的に、ロータリスイッチは、例えば、回路板、可変抵抗器、電源端子といった電子部品を備えている。
【先行技術文献】
【特許文献】
【０００４】
【特許文献１】台湾実用新案公告第１７９９７９号明細書
【発明の概要】
【発明が解決しようとする課題】
【０００５】
しかしながら、例えば美観の向上のため、照明器具やステレオなどの装置に使用されているロータリスイッチは、小型化が要求される。
【０００６】
そこで、ロータリスイッチが小型化されると、ロータリスイッチの内部にある複数の電子部品のそれぞれの距離が近くなるので、電気ノイズが増大して装置に悪影響を及ぼす恐れがある。そのため、従来のロータリスイッチに用いられている配線器具の構成は未だ改善の余地がある。
【０００７】
よって、本発明は上記問題点に鑑みて、上記欠点を解決できる配線器具を提供することを目的とする。
【課題を解決するための手段】
【０００８】
上記目的を達成すべく、本発明は以下の配線器具を提供する。
【０００９】
即ち、電子モジュールと、ハウジングと、を備えていて切換えスイッチに適用される配線器具であって、
前記電子モジュールは、第１の回路基板と、一対の電源端子と、スイッチ手段と、を備えており、
前記第１の回路基板は、互いに反対する両面が第１の面及び第２の面と定義されており、
前記一対の電源端子は、外部電源の導線と接続するよう、互いに間が隔たるように前記第１の面に設けられており、
前記スイッチ手段は、前記第２の面に設けられており、且つ、切換えスイッチに対する操作を受け付ける制御部と、それぞれに前記第２の面から前記第１の回路基板を貫通して先端が前記第１の面から突出していると共に、前記第１の回路基板と電気的に接続されている複数のピンと、から構成され、且つ、前記複数のピンのうち、前記一対の電源端子の間に配置されているものがメインピンと定義されており、
前記ハウジングは、前記電子モジュールを収容していると共に、ボディと、前記ボディの開口を封止しているカバーと、を備えており、
前記ボディは、前記第１の回路基板の前記第１の面に当接して該第１の回路基板を支持している支持部と、前記一対の電源端子と前記メインピンとの間に介在して前記一対の電源端子と前記メインピンとの間の絶縁シールドとなるように配置されている２つの絶縁壁を有している間隔壁部と、を有しており、
前記カバーは、外観面と、前記外観面に開けられていて前記制御部を前記ハウジングから露出させている開口部と、を有している配線器具を提供する。
【発明の効果】
【００１０】
上記構成により、本発明に係る配線器具には、２つの絶縁壁をメインピンと一対の電源端子との間にそれぞれに介在するように設置して絶縁シールドとなるようにすることによって、電源端子による電気ノイズがスイッチ手段に影響を与えることを防止することができることで、スイッチ手段と電源端子とが互いに近づくように配置され得る。そのため、配線器具の全体のサイズを小型化することができる。
【図面の簡単な説明】
【００１１】
【図１】本発明の一実施形態に係る配線器具が示される斜視図
【図２】図１に示される配線器具を別の角度から見た斜視図
【図３】該実施形態の配線器具が示される分解斜視図
【図４】図３に示される配線器具を別の角度から見た分解斜視図
【図５】該実施形態の電子モジュールが示される斜視図
【図６】該実施形態の電子モジュールが示される分解斜視図
【図７】図５に示される電子モジュールを別の角度から見た斜視図
【図８】図６に示される電子モジュールを別の角度から見た分解斜視図
【図９】該実施形態のボディが示される斜視図
【図１０】該実施形態のボディが示される上面図
【図１１】該実施形態の電子モジュール及びボディの取り付け状態が示される上面断面図
【図１２】該実施形態の電子モジュール及びボディの取り付け状態が示される側面断面図
【発明を実施するための形態】
【００１２】
以下、本発明に係る配線器具１００について図面を参照して説明する。
【００１３】
図１〜図４を参照して本発明の一実施形態に係る配線器具１００を説明する。ここで、図１は本発明の一実施形態に係る配線器具１００が示される斜視図であり、図２は図１に示される配線器具１００を別の角度から見た斜視図であり、図３は該実施形態の配線器具１００が示される分解斜視図であり、また、図４は図３に示される配線器具１００を別の角度から見た分解斜視図である。
【００１４】
本実施形態に係る配線器具１００は、つまみを有する切換えスイッチに適用され、例えば、照明器具のオン／オフ、又は、照明器具の光強度を操作するように、建物の壁に装着されるものである。なお、本実施形態では、建物に据え付けられる照明器具への応用を例として説明するが、ここでそれに限定されず、用途に応じて他の装置（例えば、ステレオ、エアコンなど）に応用してもよい。
【００１５】
本実施形態に係る配線器具１００は、図１〜図４に示されるように、電子モジュール１と、電子モジュール１を収容しているハウジング２とから構成され、ハウジング２は、開口を有するボディ３と、ボディ３の開口を覆っているカバー４とを備える。
【００１６】
図５〜図８を参照して本実施形態に係る配線器具１００の電子モジュール１を説明する。図５は同実施形態の電子モジュール１が示される斜視図であり、図６は該実施形態の電子モジュール１が示される分解斜視図であり、図７は図５に示される電子モジュール１を別の角度から見た斜視図であり、また、図８は図６に示される電子モジュール１を別の角度から見た分解斜視図である。
【００１７】
電子モジュール１は、図５及び図６に示されるように、第１の回路基板１１と、一対の電源端子１２と、スイッチ手段１３と、第２の回路基板１４と、キャップ１５と、を備えている。
【００１８】
第１の回路基板１１は、図６及び図８に示されるように、互いに反対する両面である第１の面１１１(図示における下面、図８参照)及び第２の面１１２(図示における上面、図６参照)を有する。
【００１９】
また、一対の電源端子１２は、図７及び図８に示されるように、外部電源の導線（図示せず）と接続するよう、互いに間隔をあけて第１の回路基板１１の第１の面１１１に設けられている。
【００２０】
また、スイッチ手段１３は、図５及び図６に示されるように、第１の回路基板１１の第２の面１１２に設けられており、且つ、切換えスイッチに対する操作（例えば使用者がキャップ１５をひねることによる回転操作）を受け付ける制御部１３１と、それぞれに第２の面１１２から第１の回路基板１１を貫通して先端が第１の面１１１から突出していると共に、第１の回路基板１１と電気的に接続されている複数のピン１３２とを有し、複数のピン１３２には、一対の電源端子１２の間に配置されているメインピン１３２Ａが含まれる。
【００２１】
また、第２の回路基板１４は、図５及び図６に示されるように、第１の回路基板１１の第１の面１１１に第１の回路基板１１と略直交するように配置されている。
【００２２】
また、キャップ１５は、図６及び図８に示されるように、スイッチ手段１３を操作することができるように、スイッチ手段１３の制御部１３１を外嵌しているものである。
【００２３】
なお、本実施形態では、スイッチ手段１３は、ポテンショメータであるため、キャップ１５を回転することによって、制御部１３１の回転を連動して電気抵抗を調整することができる。更に、キャップ１５のサイズがスイッチ手段１３の制御部１３１よりも大きく形成されることで、使用者にとって操作しやすい利点がある。
【００２４】
第１の回路基板１１及び第２の回路基板１４には、照明器具のオン／オフ、又は、照明器具の光強度の調整を制御することができる制御回路を構成するための複数の電子部品(図示せず)が設けられており、且つ、第２の回路基板１４には、照明器具と電気的に接続するように、照明器具における導線（図示せず）を連結するための接続端子１６が更に設けられている。
【００２５】
図９〜図１２を参照して本実施形態に係る配線器具１００のボディ３を説明する。図９は同実施形態のボディ３が示される斜視図であり、図１０は該実施形態のボディ３が示される上面図であり、図１１は該実施形態の電子モジュール１及びボディ３の取り付け状態が示される上面断面図であり、また、図１２は該実施形態の電子モジュール１及びボディ３の取り付け状態が示される側面断面図である。
【００２６】
ボディ３は、図９及び図１０に示されるように、カバー４に当接している接合縁３１と、接合縁３１を越えるように突出していて第１の回路基板１１の第１の面１１１に当接して第１の回路基板１１を支持している支持部３２と、ボディ３の内部を、一対の電源端子１２を収容している第１の収容空間３４及び第２の回路基板１４を収容している第２の収容空間３５に仕切る間隔壁部３３と、を有している。
【００２７】
より具体的に言うと、間隔壁部３３は、図９及び図１０に示されるように、第１の回路基板１１と略直交するように配置されており、且つ、第１の収容空間３４と第２の収容空間３５とを仕切る主壁３３１と、主壁３３１から第１の収容空間３４へ突出して一対の電源端子１２の間に介在しているリブ３３２と、を有している。
【００２８】
リブ３３２は、図９及び図１０に示されるように、第１の回路基板１１と略直交する方向に沿って棒状に延伸し、且つ、基体３３２ａと、基体３３２ａの両側から互いに間隔をあけて第１の回路基板１１に向かって延伸していると共に、それぞれの一端が主壁３３１と連接している２つの絶縁壁３３２ｂと、基体３３２ａから第１の回路基板１１に向かって延伸していると共に２つの絶縁壁３３２ｂの他端同士を連結している強化壁３３２ｃと、から構成されている。
【００２９】
２つの絶縁壁３３２ｂは、一対の電源端子１２とメインピン１３２Ａとの間に介在して一対の電源端子１２とメインピン１３２Ａとの間の絶縁シールドとなるように配置されている。
【００３０】
また、主壁３３１は、２つの絶縁壁３３２ｂの間に、第２の収容空間３５と連通している切り込み３３１ａが形成されており、これによりメインピン１３２Ａを収容する空間を拡大することができる。
【００３１】
なお、本実施形態では、メインピン１３２Ａと２つの絶縁壁３３２ｂとのそれぞれの距離を３ｍｍ以下にする。一対の電源端子１２が電流を伝送する場合に、メインピン１３２Ａに対して電気ノイズを生じることがあるが、それぞれに一対の電源端子１２とメインピン１３２Ａとの間に配置された２つの絶縁壁３３２ｂが絶縁シールドとなることにより、メインピン１３２Ａに対する一対の電源端子１２からの電気ノイズを防止することができる。
【００３２】
また、メインピン１３２Ａと２つの絶縁壁３３２ｂとの間のスペースが限られているので、２つの絶縁壁３３２ｂの厚さも限定されるが、そこで、強化壁３３２ｃを設置することによって、２つの絶縁壁３３２ｂの構造を強化して２つの絶縁壁３３２ｂの破断や破裂を防止することができる。
【００３３】
また、スイッチ手段１３のメインピン１３２Ａは、図８に示されるように、絶縁樹脂５により取り囲まれていて、基体３３２ａ及び２つの絶縁壁３３２ｂは、共にメインピン１３２Ａ及び絶縁樹脂５を収容する空間(即ち、切り込み３３１ａ)を画成している。このような絶縁樹脂５を設置することによって、メインピン１３２Ａに対する絶縁シールドの効果を一層向上させることができる。
【００３４】
なお、本実施形態では、ボディ３は、図１１及び図１２に示されるように、第２の回路基板１４を位置決めするよう、間隔壁部３３の主壁３３１とそれぞれに隣接していて第２の収容空間３５と連通していると共に、第２の回路基板１４の側縁と係合している一対の位置決め溝３６が凹設されている。すなわち、第２の回路基板１４は、主壁３３１と平行且つ隣接するように配置されている。
【００３５】
さらに、ボディ３には、図９及び図１０に示されるように、第１の収容空間３４とそれぞれに連通している一対の第１の貫通孔３７と、第２の収容空間３５と連通している１つの第２の貫通孔３８が開けられている。
【００３６】
一対の第１の貫通孔３７は、図２及び図４に示されるように、それぞれに一対の電源端子１２に対応していると共に、外部電源の導線が挿通して一対の電源端子１２と電気的に接続することができるものである。一方、第２の貫通孔３８は、図２及び図４に示されるように、接続端子１６に対応していると共に、照明器具における導線が挿通して接続端子１６と電気的に接続することができるものである。
【００３７】
図１〜図４に戻って参照すると、カバー４は、外観面４１と、外観面４１に開けられていて制御部１３１をハウジング２から露出させる開口部４２と、を有している。
【００３８】
なお、本実施形態では、開口部４２は、径がキャップ１５の外径と略一致すると共に、中心が外観面４１の中心位置と一致するように形成されており、また、制御部１３１は、外観面４１の中心位置にあるように開口部４２から露出している。このようにして、配線器具１００が例えば建物の壁に装着される際に、カバー４の外観面４１、及び、操作を制御するキャップ１５のみ露出することで、外観を向上させることができる。
【００３９】
さらに、本実施形態では、カバー４は、図４に示されるように、複数の押さえリブ４３と、一対の組立片４４と、を有している。
【００４０】
複数の押さえリブ４３は、図４及び図１２に示されるように、カバー４の内側の四隅に配置されており、且つ、第１の回路基板１１の第２の面１１２に当接して、ボディ３の支持部３２と共に第１の回路基板１１を位置決めすることができる。
【００４１】
一対の組立片４４のそれぞれは、図１〜図４に示されるように、２つの組立孔４４１が開口されており、そして、ボディ３には、対応する組立片４４のそれぞれにある２つの組立孔４４１と係合する２つの係合ブロック３９が突起している。係合ブロック３９と組立孔４４１との係合によって、ハウジング２を組み立てた場合に、カバー４とボディ３とが互いに分離することが防がれる。
【００４２】
総括すると、本発明に係る配線器具１００には、メインピン１３２Ａと一対の電源端子１２との間にそれぞれに絶縁壁３３２ｂが配置されるように構成して絶縁シールドとすることによって、電源端子１２による電気ノイズがスイッチ手段１３に影響を与えることが防がれるので、スイッチ手段１３と電源端子１２とを近接するように配置することができる。そのため、配線器具１００の全体のサイズを小型化することができる。
【００４３】
上記においては、本発明の全体的な理解を促すべく、多くの具体的な詳細が示された。しかしながら、当業者であれば、一またはそれ以上の他の実施形態が具体的な詳細を示さなくとも実施され得ることが明らかである。
【００４４】
以上、本発明の好ましい実施形態及び変化例を説明したが、本発明はこれらに限定されるものではなく、最も広い解釈の精神および範囲内に含まれる様々な構成として、全ての修飾および均等な構成を包含するものとする。
【産業上の利用可能性】
【００４５】
本発明に係る配線器具は、サイズを小型化しても電気ノイズによる影響を避けることができる。そのため、産業上の利用可能性がある。
【符号の説明】
【００４６】
１００  配線器具
１  電子モジュール
１１  第１の回路基板
１１１  第１の面
１１２  第２の面
１２  電源端子
１３  スイッチ手段
１３１  制御部
１３２  ピン
１３２Ａ  第１のピン
１４  第２の回路基板
１５  キャップ
１６  接続端子
２  ハウジング
３  ボディ
３１  接合縁
３２  支持部
３３  間隔壁部
３３１  主壁
３３１ａ  切り込み
３３２  リブ
３３２ａ  基体
３３２ｂ  絶縁壁
３３２ｃ  強化壁
３４  第１の収容空間
３５  第２の収容空間
３６  位置決め溝
３７  第１の貫通孔
３８  第２の貫通孔
３９  係合ブロック
４  カバー
４１  外観面
４２  開口部
４３  押さえリブ
４４  組立片
４４１  組立孔
５  絶縁樹脂
【図１】
2020136270.tif 000003
【図２】
2020136270.tif 000004
【図３】
2020136270.tif 000005
【図４】
2020136270.tif 000006
【図５】
2020136270.tif 000007
【図６】
2020136270.tif 000008
【図７】
2020136270.tif 000009
【図８】
2020136270.tif 000010
【図９】
2020136270.tif 000011
【図１０】
2020136270.tif 000012
【図１１】
2020136270.tif 000013
【図１２】
2020136270.tif 000014